(57)【要約】【課題】上層の練板紙がずれることなく円滑な練り合わせ作業を行うとともに、使用後の練板紙を速やかに剥離できる歯科用練板紙帳を提供する。【解決手段】練板紙帳１０は、略方形の台紙１２上に、耐水性・耐薬品性を有する練板紙１４を多数重ね合わせた積層体となっている。該積層体の４端面は、隅部２４を除いて、ほぼ全周が接着層１６，１８，２０，２２によって覆われている。作業時には、作業台２８上の練板紙帳１０を一方の手で押えながら、他方の手でヘラ３８により薬剤３４，３６を練り合わせて重合させる。このとき、練板紙１４の端面のほぼ全体が接着剤で覆われているため、上下左右方向や円運動などの各種動きで練り合わせを行っても、上層側の練板紙１４がずれることがない。作業後は、隅部２４から最上層の練板紙１４Ａを摘んで引き剥がす。【選択図】      図１
2004242946.tif 000002
【特許請求の範囲】
【請求項１】
台紙上に、耐水性及び耐薬品性を有する練板紙を剥離可能に多数重ね合わせた積層体状の歯科用練板紙帳であって、
前記積層体の端面のほぼ全周を、前記練板紙を積層体から剥離するための一部を除いて被覆し、前記多数の練板紙を剥離可能に接着する接着層，
を備えたことを特徴とする歯科用練板紙帳。
【請求項２】
台紙上に、耐水性及び耐薬品性を有する略方形状の練板紙を剥離可能に多数重ね合わせた積層体状の歯科用練板紙帳であって、
前記積層体の端面のほぼ全周を、前記練板紙を積層体から剥離するための一角を除いて被覆し、前記多数の練板紙を剥離可能に接着する接着層，
を備えたことを特徴とする歯科用練板紙帳。
【請求項３】
台紙上に、耐水性及び耐薬品性を有する練板紙を剥離可能に多数重ね合わせた積層体状の歯科用練板紙帳であって、
前記練板紙が、一組の対辺が平行かつ長さが異なる略台形状であることを特徴とする歯科用練板紙帳。
【請求項４】
台紙上に、耐水性及び耐薬品性を有する練板紙を剥離可能に多数重ね合わせた積層体状の歯科用練板紙帳であって、
前記練板紙が、一組の対辺が平行かつ長さが異なる略台形状であるとともに、
少なくとも前記平行な対辺の端面を被覆し、前記多数の練板紙を剥離可能に接着する接着層，
該接着層による被覆残り部分または一角の切り落としによって形成されており、前記練板紙を積層体から剥離するための非接着部，
を備えたことを特徴とする歯科用練板紙帳。
【請求項５】
前記練板紙が、略同心の円又は楕円状の目盛を有することを特徴とする請求項１〜４のいずれかに記載の歯科用練板紙帳。
【請求項６】
台紙上に、耐水性及び耐薬品性を有する練板紙を剥離可能に多数重ね合わせた積層体状の歯科用練板紙帳であって、
前記練板紙が、略同心の円又は楕円状の目盛を有することを特徴とする歯科用練板紙帳。
【発明の詳細な説明】
【０００１】
【発明の属する技術分野】
本発明は、各種の歯科用セメントや印象材などを練和するための使い捨ての練板紙を多数積層した歯科用練板紙帳に関するものである。
【０００２】
【背景技術】
各種の歯科用セメント，印象材，根幹充填材，修復材等として利用される材料は、大部分が粉末と液体，液体と液体などの２種類以上の異なる薬剤を、専用の台などの上でヘラ（ないしスパチュラ）で練り合わせて形成された重合体である。このような薬剤成分の性質上、練り合わせに用いる台には、耐水性・耐薬品性を備えた平坦なものが使用される。従来は、練和用の台としてガラス板が使用されていたが、使用後には表面を手早く拭き取っておかないとセメントなどの硬化が始まってしまい、水中で十分硬化してから剥がしたり溶剤で溶かして清掃したりするなど、重合体の除去に手間がかかっていた。このため、近年では、使い捨て用の練板紙が広く普及している。
【０００３】
上述した練板紙は、通常、台紙上に、耐水性や耐薬品性を備えた略方形状のものを多数積層して端面を接着剤などで貼着し、メモ帳のように一枚ずつ剥離可能に製本したような状態となっている。例えば、特許文献１には、台紙上に重合した多数の方形状の練和紙に対し、対向する二辺を連結辺とし、残りの対向する二辺を分離辺に形成すると共に、一方の連結辺とこれに隣接する分離辺が交差する角隅部を切り落としてコーナー分離辺を形成した歯科用練和紙綴りが記載されている。これによれば、コーナー分離辺を目印にして連結辺と分離辺の配置を見分け、練和作業の際には常に一定した狭持位置を選択することができるとともに、使用後の練和紙の剥離を容易に行うことが可能となっている。
【０００４】
【特許文献１】
特開平９−２８７１８号公報（第２頁，第３−第９図）
【０００５】
【発明が解決しようとする課題】
しかしながら、以上のような背景技術では、対向する二辺の端面のみが接着されているため、練和作業中の練板紙の変形や湾曲を防ぐためには、上下の分離辺を挟んで机などの台に押さえつける必要があり、どの位置を狭持してもよいというわけにはいかない。また、練り合わせの作業は、一般にヘラなどによる回転運動や上下左右方向への運動などで行われるので、２端面のみの接着では作業中に上層側の練板紙がずれてしわを生じ、その結果、練り合わせが円滑に行われなくなったり、作業中に練板紙が剥離したりする恐れがある。更に、練板紙上で重合させる薬剤の計量が常に目分量で行われることになるので、熟練者以外のものが作業を行うと、練り合わせ中に完全に重合して使えなくなるなど、治療ないし処置を速やかに行うことができない場合がある。
【０００６】
この発明は、以上の点に着目したもので、その目的は、上層の練板紙がずれることなく円滑に練り合わせ作業を行うとともに、使用後の練板紙を速やかに剥離することができる歯科用練板紙帳を提供することである。他の目的は、適切な配合で薬剤を練り合わせることができる歯科用練板紙を提供することである。
【０００７】
【課題を解決するための手段】
前記目的を達成するため、本発明は、台紙上に、耐水性及び耐薬品性を有する練板紙を剥離可能に多数重ね合わせた積層体状の歯科用練板紙帳であって、前記積層体の端面のほぼ全周を、前記練板紙を積層体から剥離するための一部を除いて被覆し、前記多数の練板紙を剥離可能に接着する接着層，を備えたことを特徴とする。
【０００８】
他の発明は、台紙上に、耐水性及び耐薬品性を有する略方形状の練板紙を剥離可能に多数重ね合わせた積層体状の歯科用練板紙帳であって、前記積層体の端面のほぼ全周を、前記練板紙を積層体から剥離するための一角を除いて被覆し、前記多数の練板紙を剥離可能に接着する接着層，を備えたことを特徴とする。
【０００９】
更に他の発明は、台紙上に、耐水性及び耐薬品性を有する練板紙を剥離可能に多数重ね合わせた積層体状の歯科用練板紙帳であって、前記練板紙が、一組の対辺が平行かつ長さが異なる略台形状であることを特徴とする。更に他の発明は、台紙上に、耐水性及び耐薬品性を有する練板紙を剥離可能に多数重ね合わせた積層体状の歯科用練板紙帳であって、前記練板紙が、略同心の円又は楕円状の目盛を有することを特徴とする。本発明の前記及び他の目的，特徴，利点は、以下の詳細な説明及び添付図面から明瞭になろう。
【００１０】
【発明の実施の形態】
＜実施形態１＞……以下、本発明の実施の形態について詳細に説明する。最初に、図１を参照して、実施形態１について説明する。図１（Ａ）は本形態の正面図，（Ｂ）は前記（Ａ）を同図の矢印Ｆ１方向から見た端面図，（Ｃ）は本形態の使用状態を示す図である。同図に示すように、本実施形態の歯科用練板紙帳１０（以下「練板紙帳」とする）は、略方形状であって、台紙１２上に、該台紙１２と同形状・同寸法の多数の練板紙１４を重ね合わせた積層体状となっている。そして、上下左右の端面１５，１７，１９，２１には、図の左下側の隅部２４を除いて、ほぼ全周に接着層１６，１８，２０，２２が設けられており、これら接着層によって、多数の練板紙１４が一枚ずつ剥離可能となるように互いに端面で接着されている。
【００１１】
前記台紙１２としては、練り合わせ作業中の変形や湾曲を防止する観点から、例えば、比較的丈夫な厚紙などが利用される。また、練り合わせ作業中に練板紙帳１０全体が机などの作業台上で滑ることがないように、裏面に滑り止め用のシート層，例えば、ゴムなどを設けるようにしてもよい。練板紙１４としては、練り合わせ作業に使用するセメント粉末や練和液などが裏に浸透したり、これらと反応を起こしたりしないものであればよく、公知の各種の材質，例えば、和紙や洋紙のほか、ポリプロピレンやポリ塩化ビニール，ポリエステル，ポリエチレン又はポリスチレン樹脂などを主原料とした合成紙などが使用される。また、接着層１６，１８，２０，２２としては、練板紙１４を一枚ずつ剥離できるものであればよく、例えば、ホットメルト接着剤などの公知の各種の接着剤が利用可能である。前記練板紙１４と台紙１２は、前記接着剤によって一体となるように製本される。なお、必要に応じて、最上層の練板紙１４Ａ上に、台紙１２や練板紙１４と同形状・同寸法の表紙などを適宜設けるようにしてもよい。
【００１２】
次に、本実施形態の作用を説明する。作業者３０は、上述した練板紙帳１０を、机などの作業台２８上に置き、最上層の練板紙１４Ａの表面に、練り合わせを行う２種の薬剤３４及び３６（例えば、セメント粉末と練和液など）を所望量とり、一方の手（図示の例では左手）の親指と人差し指で、左側の上下隅部を抑えて、他方の手でヘラ３８を使用して薬剤３４と３６を練り合わせる。練り合わせによって適当な状態にまで重合が進んだら、生成された重合体を歯の治療や処置などに利用する。使用後、図１（Ｂ）に示すように、隅部２４で最上層の練板紙１４Ａを摘んで捲り上げ、接着層１６，１８，２０，２２から引き剥がすと、次層の練板紙１４Ｂが使用可能な状態となる。以上の動作を繰り返すことにより、練板紙１４が一枚ずつ順次使用できる。
【００１３】
このように、本実施形態によれば、練板紙１４の積層体の１ヶ所の隅部２４を除いて、端面のほぼ全周を接着層で被覆することとした。これにより、練板紙帳１０の配置に関わらず、任意の位置を狭持して練り合わせ作業を行うことができ、使用後は、隅部２４で練板紙１４を摘んで速やかに剥離することができる。また、上下左右方向への運動や円運動による練り合わせ作業の際にも、上層の練板紙１４がずれたり剥離したりすることなく、円滑に作業を行うことができる。
【００１４】
＜実施形態２＞……次に、図２（Ａ）を参照して、本発明の実施形態２について説明する。同図（Ａ）は、本形態の正面図である。本形態の練板紙帳４０は、図示しない台紙上に多数の練板紙４４を重ね合わせたものであり、該練板紙４４の一組の端面４５及び４７は平行で、かつその長さが異なる略台形状となっている。他の一組の端面のうち、図の左側の端面５０は、上下端面４５及び４７に対して斜めになっており、右側の端面５２は、上下端面４５及び４７に対して直交となっている。すなわち、下端面４７の左側の隅部５６が、左側に向かって突き出した形状となっている。本形態では、上述した実施形態と異なり、上下の端面４５及び４７にのみ接着層４６，４８が設けられており、左右の端面５０及び５２は非接着状態となっている。更に、接着層４６が設けられた上端面４５と右端面５２の交差する角が切り落とされ、練板紙４４を一枚ずつ剥離するための切り落とし部５４が形成されている。
【００１５】
本実施形態の作用を説明すると、まず、作業台２８上に練板紙帳４０をおき、最上層の練板紙４４の表面に、複数の所望の薬剤を量りとってヘラで練り合わせる。このとき、練板紙帳４０の下端面４７が作業者３０側に向くように配置すると、作業者３０の左手の親指が下端面４７側を押え、人差し指が左端面５０の傾斜に沿うように添えられるとともに、親指の付け根近傍が、略３角形状に突出した隅部５６を押えるようになる。このため、上下端面４５，４７のみに接着層４６，４８が設けられていても、練り合わせ作業時に練板紙帳４０がずれることなく、円滑に作業が行われる。作業が終了したら、切り落とし部５４から最上層の練板紙４４を一枚引き剥がす。このように、本実施形態によれば、練板紙帳４０全体を略台形状として押えやすい形状とすることとしたので、安定した作業を行うことができる。
【００１６】
図２（Ｂ）には、本実施形態の他の例が示されている。本例の練板紙帳６０も、全体が略台形状となっているが、上下端面のみではなく、上述した実施形態１と同様に、上下左右端面のほぼ全体を接着層６６，６８，７０，７２が覆っており、下端面と左端面の接する隅部７４のみが被覆残りの状態となっている。本例の作用及び効果は、基本的には上述した実施形態１と同様であるが、略台形状に形成されているため、練り合わせ作業時に押えやすいという効果も得られる。
【００１７】
＜実施形態３＞……次に、本発明の実施形態３について説明する。同図（Ａ）に示す練板紙帳８０は、上述した実施形態１と同様に全体が略方形であって、１ヶ所の隅部を除いて端面のほぼ全体が接着層で覆われており、更に、練板紙８２の表面には、該練板紙８２の略中央を中心とする同心円状の目盛８４が設けられている。通常、練板紙上で練り合わせされる薬剤は目分量で量りとられるが、本実施形態のように同心円状の目盛を設けることにより、例えば、チューブ８６から押し出される薬剤８８の硬さ（ないし粘度）を考慮することによって、同心円の中心においた薬剤の広がり方やその時の大きさから、概略の量を決定することができる。
【００１８】
このように、本実施形態によれば、作業者３０によらず薬剤を適切な配合で練り合わせることができる。なお、図３（Ａ）では同心円状の目盛を設けたが、同図（Ｂ）に示す練板紙帳９０のように、前記実施形態２と同様の略台形状の練板紙９２の表面に、同心の略楕円形の目盛９４を設けるようにしてもよい。目盛を施すインクが薬剤に混入するのを避けるため、練板紙を透明ないし半透明とするとともに、練板紙の裏面側に目盛を設け、表面側で薬剤を練り合わせるようにしてもよい。
【００１９】
＜他の実施形態＞……本発明には数多くの実施形態があり、以上の開示に基づいて多様に改変することが可能である。例えば、次のようなものも含まれる。
（１）前記形態で示した形状，大きさ，材質，薬剤の種類はいずれも一例であり、必要に応じて任意に変更可能である。例えば、前記実施形態２では、左端面５０のみが上下端面４５，４７に対して斜めになるようにしたが、右端面５２も斜めになるように形成することにより、左右のいずれが利き手であるかに関わらず、円滑に練り合わせを行うことができる。また、必ずしも台形に限られるものではなく、開いた人差し指と親指に沿って押さえることができる鋭角形状であれば、どのような形状であってもよい。
【００２０】
（２）前記形態を組み合わせるようにしてもよい。例えば、図３（Ａ）に示した実施形態３では、一枚の練板紙８２上に略同心円状の目盛８４のみを設けることとしたが、図３（Ｂ）に示した同心の略楕円形の目盛９４を同じ練板紙上に設けることにより、複数種類の薬剤の計量を更に容易に行うことができる。また、前記形態３では、前記形態１又は２と同様の構成の練板紙上に目盛８４や９４を設けたが、他の各種の公知の練板紙を用い、その上に前記目盛８４や９４を設けることを妨げるものではない。
【００２１】
【発明の効果】
以上説明したように、本発明によれば、次のような効果が得られる。
（１）練板紙の積層体の一部を除いて、端面のほぼ全周を接着層で被覆することとしたので、上層の練板紙がずれて皺を生じることがなく、円滑に練り合わせ作業を行うことができる。また、任意の位置を狭持して練り合わせ作業を行うことができるとともに、使用後の練板紙を速やかに剥離することができる。
（２）練板紙に、指で押さえられる鋭角形状を設けたので、作業者が狭持しやすく、安定した作業を行うことができる。
（３）練板紙に略同心の円形状又は楕円形状の目盛を設けることとしたので、薬剤の計量を容易にし、的確な配合比で練り合わせを行うことができる。
【図面の簡単な説明】
【図１】本発明の実施形態１を示す図であり、（Ａ）は正面図，（Ｂ）は前記（Ａ）を矢印Ｆ１方向から見た端面図，（Ｃ）は練和作業の様子を示す図である。
【図２】本発明の実施形態２を示す図である。
【図３】本発明の実施形態３を示す図である。
【符号の説明】
１０…練板紙帳
１２…台紙
１４，１４Ａ，１４Ｂ…練板紙
１５，１７，１９，２１…端面
１６，１８，２０，２２…接着層
２４…隅部
２８…作業台
３０…作業者
３４，３６…薬剤
３８…ヘラ
４０…練板紙帳
４４…練板紙
４５，４７，５０，５２…端面
４６，４８…接着層
５４…切り落とし部
５６…隅部
６０…練板紙帳
６４…練板紙
６６，６８，７０，７２…接着層
７４…隅部
８０…練板紙帳
８２…練板紙
８４…目盛
８６…チューブ
８８…薬剤
９０…練板紙帳
９２…練板紙
９４…目盛
【図１】
2004242946.tif 000003
【図２】
2004242946.tif 000004
【図３】
2004242946.tif 000005